【手続補正書】
【提出日】令和3年10月27日(2021.10.27)
【手続補正１】
【補正対象書類名】特許請求の範囲
【補正対象項目名】全文
【補正方法】変更
【補正の内容】
【特許請求の範囲】
【請求項１】
端末によって実行されるプログラムであって、
サービスが提供される場所と前記端末とが第１位置関係の場合、前記場所の位置を示す第１情報を前記端末の出力部によって出力することと、
前記場所と前記端末とが前記第１位置関係とは異なる第２位置関係の場合、前記サービスに関する第２情報を前記出力部によって出力することとが前記端末によって実行される。
【請求項２】
請求項１に記載のプログラムであって、
前記場所と前記端末との位置関係に基づく情報を受信し、受信した情報に基づいて前記第１情報または前記第２情報を前記出力部によって出力することが前記端末によって実行される。
【請求項３】
請求項１または請求項２に記載のプログラムであって、
前記場所と前記端末との位置関係を示す関係情報をサーバへ送信することと、
前記関係情報に対する応答として前記サーバが送信する情報を受信し、受信した情報に基づいて前記第１情報または前記第２情報を前記出力部によって出力することとが前記端末によって実行される。
【請求項４】
請求項３に記載のプログラムであって、
前記第１情報は、前記関係情報が第１条件を満たす場合、前記サーバが送信する情報に基づいて出力され、
前記第２情報は、前記関係情報が前記第１条件と異なる第２条件を満たす場合、前記サーバが送信する情報に基づいて出力される。
【請求項５】
請求項４に記載のプログラムであって、
前記関係情報は、前記場所と前記端末との距離を含み、
前記第１条件は、前記関係情報に含まれる前記場所と前記端末との距離が第１範囲である条件であり、
前記第２条件は、前記関係情報に含まれる前記場所と前記端末との距離が前記第１範囲とは異なる第２範囲である条件である。
【請求項６】
請求項３から請求項５のいずれか一項に記載のプログラムであって、
前記関係情報は、前記場所と前記端末との距離、前記場所と前記端末との間の経路の長さ、及び前記端末のユーザが前記場所へ移動する所要時間の少なくとも１つを含む。
【請求項７】
請求項３から請求項６のいずれか一項に記載のプログラムであって、
前記場所に設置される電子機器から送信される信号を受信することが前記端末によって実行され、
前記関係情報は、前記端末が受信した前記信号に基づいて送信される。
【請求項８】
請求項７に記載のプログラムであって、
前記信号の強度に基づいて、前記場所と前記端末との距離を算出することが前記端末によって実行され、
前記関係情報は、前記端末が算出した前記場所と前記端末との距離に基づいて、送信される。
【請求項９】
請求項１から請求項８のいずれか一項に記載のプログラムであって、
前記場所と前記端末との位置関係の時間変化に基づいて第３情報を前記出力部によって出力することが前記端末によって実行される。
【請求項１０】
請求項９に記載のプログラムであって、
前記第３情報は、前記場所と前記端末とが前記第２位置関係になった後に前記第２位置関係と異なる第３位置関係へ変化した場合、出力される。
【請求項１１】
請求項１から請求項８のいずれか一項に記載のプログラムであって、
前記第２情報は、前記場所と前記端末との位置関係が前記第２位置関係である時間に基づいて、出力される。
【請求項１２】
請求項１から請求項１１のいずれか一項に記載のプログラムであって、
前記場所に設置される電子機器から送信される前記電子機器の識別情報を受信することと、
前記端末が受信した前記電子機器の識別情報を送信することと、
前記端末が送信した前記電子機器の識別情報と関連付けられた情報を受信することとが前記端末によって実行される。
【請求項１３】
請求項１から請求項１２のいずれか一項に記載のプログラムであって、
前記場所に設置される電子機器を含む複数の電子機器が送信した複数の信号の少なくとも一部の信号を受信することが前記端末によって実行され、
前記第１情報または前記第２情報は、前記端末が受信した前記少なくとも一部の信号に基づく、前記場所と前記端末との位置関係に基づいて出力される。
【請求項１４】
請求項１から請求項１３のいずれか一項に記載のプログラムであって、
前記場所に設置される電子機器が送信した信号を受信することが前記端末によって実行され、
前記第１情報または前記第２情報は、前記場所に配置される撮像部が撮像した画像と前記端末が受信した前記信号とに基づく、前記場所と前記端末との位置関係に基づいて出力される。
【請求項１５】
請求項１から請求項１４のいずれか一項に記載のプログラムであって、
前記第１情報は、前記端末のユーザの属性情報に基づいて、複数の前記場所の候補から選択される。
【請求項１６】
請求項１から請求項１５のいずれか一項に記載のプログラムであって、
前記第２情報は、前記端末のユーザの属性情報に基づいて、複数の前記サービスの候補から選択される。
【請求項１７】
請求項１５または請求項１６に記載のプログラムであって、
前記ユーザの属性情報は、前記ユーザの性別と、前記ユーザの年齢と、前記サービスの種類との少なくとも１つに関して予め登録された情報を含む。
【請求項１８】
請求項１から請求項１７のいずれか一項に記載のプログラムであって、
前記第２情報は、前記サービスによって提供される物品、役務、及び情報の少なくとも１つの内容と、前記サービスに付随する特典の内容との少なくとも一方を含む。
【請求項１９】
請求項１から請求項１８のいずれか一項に記載のプログラムであって、
前記場所と前記端末との位置関係が前記第２位置関係と異なる場合、前記場所に前記端末を近づけるように要求することに関する情報を前記出力部によって出力することが前記端末によって実行される。
【請求項２０】
請求項１から請求項１９のいずれか一項に記載のプログラムであって、
前記端末は表示部を備え、
前記第１情報は、前記場所を地図上で示す画像を含み、
前記場所を地図上で示す画像は、前記表示部に出力される。
【請求項２１】
請求項１から請求項２０のいずれか一項に記載のプログラムであって、
前記端末は、撮像部と表示部とを備え、
前記第１情報は、前記端末の位置から前記場所への経路を示す画像と前記撮像部が撮像した画像とを重ねた画像を含み、
前記端末の位置から前記場所への経路を示す画像と前記撮像部が撮像した画像とを重ねた画像は、前記表示部に出力される。
【請求項２２】
請求項１から請求項２１のいずれか一項に記載のプログラムであって、
前記場所の候補を前記出力部によって出力することが前記端末によって実行され、
前記第１情報は、前記場所の候補から選択される。
【請求項２３】
請求項２２に記載のプログラムであって、
前記場所の属性情報に基づく、前記場所の候補に含まれる２以上の前記場所を通る経路に関する経路情報を前記出力部によって出力することが前記端末によって実行される。
【請求項２４】
端末の情報処理方法であって、
サービスが提供される場所と前記端末とが第１位置関係の場合、前記場所の位置を示す第１情報を前記端末の出力部によって出力することと、
前記場所と前記端末とが前記第１位置関係とは異なる第２位置関係の場合、前記サービスに関する第２情報を前記出力部によって出力することとを含む。
【請求項２５】
端末であって、
サービスが提供される場所と前記端末とが第１位置関係の場合、前記場所の位置を示す第１情報を出力し、前記場所と前記端末とが前記第１位置関係とは異なる第２位置関係の場合、前記サービスに関する第２情報を出力する出力部を備える。
【手続補正２】
【補正対象書類名】明細書
【補正対象項目名】０００４
【補正方法】変更
【補正の内容】
【０００４】
本発明の第１の態様は、端末によって実行されるプログラムであって、サービスが提供される場所と端末とが第１位置関係の場合、場所の位置を示す第１情報を端末の出力部によって出力することと、場所と端末とが第１位置関係とは異なる第２位置関係の場合、サービスに関する第２情報を出力部によって出力することとが端末によって実行される。
【手続補正３】
【補正対象書類名】明細書
【補正対象項目名】０００５
【補正方法】変更
【補正の内容】
【０００５】
本発明の第２の態様は、端末の情報処理方法であって、サービスが提供される場所と端末とが第１位置関係の場合、場所の位置を示す第１情報を端末の出力部によって出力することと、場所と端末とが第１位置関係とは異なる第２位置関係の場合、サービスに関する第２情報を出力部によって出力することとを含む。